(57)【要約】【課題】クリールスタンドをコンパクトにする。【解決手段】支柱１４には２つのボビンを装着可能としたボビン保持軸１７が１本設けられている。支柱１４に固定された固定軸２２には、第１の中空軸２６がベアリング２８を介して回転自在に支持されている。第１の中空軸２６の支柱側に、ボビンを装着する第２の中空軸３２がベアリング３４を介して回転自在に支持されている。したがって、第１の中空軸２６と第２の中空軸３２とは各々独立して回転自在となっている。第１の中空軸２６には、第２の中空軸３２の配置されていない部分に二つ目のボビンを装着するカラー４４が挿入されている。このようにして、ボビン保持軸１７には２つのボビンが装着可能となっており、クリールスタンド１０をコンパクトにすることができる。【選択図】        図２
2004149255.tif 000002
【特許請求の範囲】
【請求項１】
外周にコードを巻回した複数の中空状のボビンを回転可能に保持し、前記ボビンに巻回した前記コードを引き出し可能としたクリールスタンドであって、
スタンド本体に設けられ、少なくとも２つ以上のボビンを同軸的に挿入可能とし、各々が独立して回転可能とされる軸状のボビン保持部を軸方向に複数備えた保持軸と、
前記ボビンから引き出された前記コードに張力が作用しない時に前記ボビンが回転しないように前記ボビンに抵抗を付与する制動手段と、
を有することを特徴とするクリールスタンド。
【請求項２】
前記制動手段は、前記スタンド本体に揺動可能に支持されるアームと、前記アームに設けられ前記ボビンから引き出した前記コードを巻きかける回転自在なローラと、前記アームを一方向に付勢する付勢手段と、前記アームに設けられ前記付勢手段の付勢力によって前記ボビン保持部に抵抗を付与する抵抗付与手段と、を備え、
前記アームは、前記ローラに巻き掛けられた前記コードに張力が作用した際に、前記付勢手段の付勢力と対向する他方向の回転力が作用するように支持されている、ことを特徴とする請求項１に記載のクリールスタンド。
【請求項３】
前記保持軸は、前記スタンド本体に固定される固定軸と、前記固定軸にベアリングを介して回転自在に支持され第１のボビンを保持する第１のボビン保持部を軸方向の一方の側に備えた第１の中空軸と、前記第１の中空軸の軸方向の他方の側で前記第１の中空軸の径方向外側にベアリングを介して回転可能に支持され第２のボビンを保持する第２のボビン保持部を備えた第２の中空軸と、を有することを特徴とする請求項１または請求項２に記載のクリールスタンド。
【発明の詳細な説明】
【０００１】
【発明の属する技術分野】
本発明は、コードを巻回したボビンを複数収納するクリールスタンドに関する。
【０００２】
【従来の技術】
主に、タイヤの補強層として利用されるコード入りゴムシートは、線材を巻き付けたボビンをゴムシートに必要な打込み数に対応させて複数配置し、それぞれのボビンから巻き出した複数本のコードを平行に引き揃えてカレンダーへ送り出し、カレンダーでゴムシートと線材とを圧延によって合体させてコード入りゴムシートとしている（例えば、特許文献１参照。）。
【０００３】
【特許文献１】
特開平２００２−２４０１６０号公報（明細書第１〜４頁。図１，５，７）
【０００４】
【発明が解決しようとする課題】
従来、ボビンはクリールスタンドの軸に１個づつ装着していたため、多数本のコードを引き揃える場合、ボビンの数だけ軸が必要となり、クリールスタンドが巨大なものとなり、装置をコンパクトに出来ない問題があった。
【０００５】
発明は上記事実を考慮し、クリールスタンドをコンパクトにすることが目的である。
【０００６】
【課題を解決するための手段】
請求項１に記載の発明は、外周にコードを巻回した複数の中空状のボビンを回転可能に保持し、前記ボビンに巻回した前記コードを引き出し可能としたクリールスタンドであって、スタンド本体に設けられ、少なくとも２つ以上のボビンを同軸的に挿入可能とし、各々が独立して回転可能とされる軸状のボビン保持部を軸方向に複数備えた保持軸と、前記ボビンから引き出された前記コードに張力が作用しない時に前記ボビンが回転しないように前記ボビンに抵抗を付与する制動手段と、を有することを特徴としている。
【０００７】
次に、請求項１に記載のクリールスタンドの作用を説明する。
【０００８】
クリールスタンドのスタンド本体には、保持軸は少なくとも２つ以上のボビンを挿入可能としているので、保持軸に１つのボビンのみを挿入して保持する場合に比較して保持軸の数が半分以下で済み、クリールスタンドをコンパクト化できる。
【０００９】
ここで、保持軸に挿入したボビンは、各々独立して回転可能である。
【００１０】
各ボビンから引き出された複数本のコードは、例えば、引き揃えてカレンダーへ送り出すことができる。
【００１１】
なお、ボビンから引き出されたコードに張力が作用しない時には、制動手段がボビンに抵抗を付与し、不用意にボビンが回転してコードが弛まないようにできる。
【００１２】
請求項２に記載の発明は、前記制動手段は、前記スタンド本体に揺動可能に支持されるアームと、前記アームに設けられ前記ボビンから引き出した前記コードを巻きかける回転自在なローラと、前記アームを一方向に付勢する付勢手段と、前記アームに設けられ前記付勢手段の付勢力によって前記ボビン保持部に抵抗を付与する抵抗付与手段と、を備え、前記アームは、前記ローラに巻き掛けられた前記コードに張力が作用した際に、前記付勢手段の付勢力と対向する他方向の回転力が作用するように支持されている、ことを特徴としている。
【００１３】
次に、請求項２に記載のクリールスタンドの作用を説明する。
【００１４】
ボビンから引き出されてローラに巻きかけられたコードが引っ張られる、即ち、張力が作用すると、アームには付勢手段の付勢力と対向する他方向の回転力が作用する。これにより、抵抗付与手段がボビン保持部に与える抵抗が減じられ、ボビンは少なく抵抗でスムーズに回転してコードを送り出すことができる。
【００１５】
次に、コードが引っ張られなくなる、即ち、張力が無くなると、アームに付勢手段の付勢力により回転力が作用し、抵抗付与手段がボビン保持部に抵抗を付与する。これにより、ボビンが不用意に回転することが無くなり、コードが弛むことが防止される。
【００１６】
請求項３に記載の発明は、請求項１または請求項２に記載のクリールスタンドにおいて、前記保持軸は、前記スタンド本体に固定される固定軸と、前記固定軸にベアリングを介して回転自在に支持され第１のボビンを保持する第１のボビン保持部を軸方向の一方の側に備えた第１の中空軸と、前記第１の中空軸の軸方向の他方の側で前記第１の中空軸の径方向外側にベアリングを介して回転可能に支持され第２のボビンを保持する第２のボビン保持部を備えた第２の中空軸と、を有することを特徴としている。
【００１７】
次に、請求項３に記載のクリールスタンドの作用を説明する。
【００１８】
第１の中空軸はベアリングを介して固定軸に回転自在に支持されており、第２の中空軸はベアリングを介して第１の中空軸に支持されているので、第１の中空軸に保持された第１のボビンと第２の中空軸に保持された第２のボビンは各々独立して回転することができる。
【００１９】
【発明の実施の形態】
以下、図面を参照して本発明の実施の形態の一例を詳細に説明する。
【００２０】
図１に示すように、本実施形態のクリールスタンド１０は、図示しないスタンド本体に後述するボビン９８Ａ、及びボビン９８Ｂを装着するボビン保持軸１７を多数備えている。
【００２１】
クリールスタンド１０には、ボビン保持軸１７の構成部品であるメインブロック１８が取り付けられている。
【００２２】
図２に示すように、メインブロック１８には、水平方向に対して５°上向きに傾斜した孔２０が形成されており、この孔２０に固定軸２２が挿入されネジ２４で固定されている。
【００２３】
固定軸２２の径方向外側には、第１の中空軸２６が同軸的に配置されている。固定軸２２のブロック側及び先端側には、それぞれベアリング２８が２個取り付けられており、第１の中空軸２６はこれらのベアリング２８を介して固定軸２２に対して回転自在に支持されている。
【００２４】
第１の中空軸２６のブロック側端部には、外周面に溝２９を形成した第１のブレーキドラム３０が固定されている。
【００２５】
第１の中空軸２６のブロック側の径方向外側には、第１の中空軸２６の長さの略半分の長さの第２の中空軸３２が同軸的に配置されている。
【００２６】
第２の中空軸３２のブロック側端部には、外周面に溝４０を形成した第２のブレーキドラム４２が固定されている。
【００２７】
第１の中空軸２６のブロック側及び中間部には、それぞれベアリング３４が１個取り付けられており、第２の中空軸３２はこれらのベアリング３４を介して第１の中空軸２６に対して回転自在に支持されている。
【００２８】
したがって、第１の中空軸２６と第２の中空軸３２とは各々独立して回転自在となっている。
【００２９】
第１の中空軸２６には、第２の中空軸３２の配置されていない部分に円筒状のカラー４４が軸端側から挿入されている。
【００３０】
なお、カラー４４の外径は、第２の中空軸３２の外径と同一である。
【００３１】
第１の中空軸２６の外周面の中間部分にはキー溝４６が形成され、カラー４４の内周面には軸方向に沿って一端側からキー溝４８が形成されている。
【００３２】
これらのキー溝４６及びキー溝４８にはキー５０が嵌め込まれており、第１の中空軸２６とカラー４４とが一体的に回転するようになっている。
【００３３】
図２及び図３に示すように、クリールスタンド１０には、メインブロック１８の斜め下方にサブブロック５６が設けられている。
【００３４】
図２に示すように、サブブロック５６には、メインブロック１８の孔２０と平行な孔５８が形成されており、この孔５８に支持軸６０が挿入されネジ６２で固定されている。
【００３５】
支持軸６０には、略Ｌ字形状の外アーム６４がベアリング６６を介してサブブロック５６側に、軸先端側に同じく略Ｌ字形状の内アーム６８がベアリング７０を介して揺動可能に支持されている。
【００３６】
外アーム６４の上端側の側面には、固定軸２２と平行に配置された延長軸７２の一端が固定されている。
【００３７】
延長軸７２の先端には、延長軸７２と同軸的に配置された軸７４の一端が固定されている。
【００３８】
軸７４には、ベアリング７６を介してパスローラ７８が回転自在に支持されている。
【００３９】
なお、パスローラ７８の両端にはフランジ７８Ａが形成されている。
【００４０】
図４（Ａ）に示すように、外アーム６４には、略Ｕ字形状とされた第１のバンドブレーキ８０が固定されている。
【００４１】
この第１のバンドブレーキ８０は、第１のブレーキドラム３０の溝２９に巻き掛けられている。
【００４２】
外アーム６４の下端には引張りバネ８２の一端が係止されている。
【００４３】
引張りバネ８２の他端は、取付板１６に固定されたボルト８４に係止されている。
【００４４】
通常は、引張りバネ８２が外アーム６４の下端を引っ張ることにより、外アーム６４を図４（Ａ）の矢印ＣＣＷ方向（時計回りと反対方向）に付勢し、第１のバンドブレーキ８０を第１のブレーキドラム３０に押し付けている（矢印Ａ方向）。したがって、通常は、第１の中空軸２６が不用意に回転しないようになっている。
【００４５】
図４（Ｂ）、及び図５に示すように、内アーム６８の上端側の側面には、固定軸２２と平行に配置された軸８６の一端が固定されている。
【００４６】
軸８６には、ベアリング（図示せず）を介して前述したパスローラ７８と同様のパスローラ８８が回転自在に支持されている。
【００４７】
内アーム６８には、略Ｕ字形状とされたバンド状の第２のバンドブレーキ９０が固定されている。
【００４８】
この第２のバンドブレーキ９０は、第２のブレーキドラム４２の溝４０に巻き掛けられている。
【００４９】
内アーム６８の下端には引張りバネ９２の一端が係止されている。
【００５０】
引張りバネ９２の他端は、取付板１６に固定されたボルト９４に係止されている。
【００５１】
通常は、引張りバネ９２が内アーム６８の下端を引っ張ることにより、内アーム６８を図４（Ｂ）の矢印ＣＣＷ方向（時計回りと反対方向）に付勢し、第２のバンドブレーキ９０を第２のブレーキドラム４２に押し付けている（矢印Ａ方向）。したがって、通常は、第２の中空軸３２が不用意に回転しないようになっている。
（作用）
次に、本実施形態のクリールスタンド１０の作用を説明する。
【００５２】
先ず、クリールスタンド１０からカラー４４を引き抜き、その後、コード９６を巻回したボビン９８Ａを第２の中空軸３２に挿入する。
【００５３】
次に、カラー４４にボビン９８Ｂを挿入する。
【００５４】
次に、ボビン９８Ｂの装着されたカラー４４を第１の中空軸２６の所定の位置に挿入する。
【００５５】
以上により、ボビン９８Ａ、及びボビン９８Ｂのセットが終了する。
【００５６】
その後、奥側のボビン９８Ａから引き出した有機繊維のコード９９を、図４（Ｂ）に示すように内アーム６８のパスローラ８８に巻き掛けた後、図示しないカレンダーへ受け渡す。
【００５７】
また、手前側のボビン９８Ｂから引き出したコード９９を、図４（Ａ）に示すように外アーム６４のパスローラ７８に巻き掛けた後、図示しないカレンダーへ受け渡す。
【００５８】
図３に示すように、本実施形態では、外アーム６４、及び内アーム６８の角度が若干異なり、パスローラ７８、及びパスローラ８８の位置が若干異なるので、コード９９を巻き掛ける際の作業性が向上している。
【００５９】
ここで、奥側のボビン９８Ａから引き出したコード９９が図示しないカレンダーにより引っ張られると、コード９９に張力が作用する。
【００６０】
コード９９に張力が作用すると、内アーム６８のパスローラ８８が引っ張られて内アーム６８には矢印ＣＷ方向（時計回り方向）の力が作用して第２のバンドブレーキ９０が緩み（第２のブレーキドラム４２に対する押圧力が低減）、ボビン９８Ａは軽い抵抗で回転してコード９９を順次送り出す。
【００６１】
ここで、図示しないカレンダーがコード９９を引っ張るのを停止すると、引張りバネ９２が内アーム６８を矢印ＣＣＷ方向に回動させ、第２のブレーキドラム４２にバンドブレーキ９０が強く押圧され、ボビン９８Ａの回転を阻止する。
【００６２】
したがって、ボビン９８Ａのコード９９が不用意に弛むことが無くなる。
【００６３】
なお、外側のボビン９８Ｂについても、同様の作用でブレーキが掛り、コード９９が不用意に弛むことが無くなる。
【００６４】
本実施形態のクリールスタンド１０では、１本の軸に２つのボビンを装着する構成としたので、装置をコンパクトにすることが出来、例えば、全長を１／２にすることが可能となる。
【００６５】
なお、クリールスタンド１０は、必要に応じて複数の支柱１４が接近させて配置され、多数のボビンが装着可能とされている。
【００６６】
なお、本実施形態ではコード９９が有機繊維であったが、スチール等の金属であっても良い。
【００６７】
【発明の効果】
以上説明したように本発明によれば、クリールスタンドをコンパクトにすることができる、という優れた効果を有する。
【図面の簡単な説明】
【図１】クリールスタンドの左側面図である。
【図２】クリールスタンドの要部の一部断面図である。
【図３】図２のクリールスタンドの矢印Ａ矢視図である。
【図４】（Ａ）は外アーム部分を示す正面断面図であり、（Ｂ）は内アーム部分を示す正面断面図である。
【図５】図２のクリールスタンドの矢印Ｂ矢視図である。
【符号の説明】
１０    クリールスタンド
１７    ボビン保持軸（保持軸）
２２    固定軸
２６    第１の中空軸
２８    ベアリング
３０    第１のブレーキドラム（制動手段）
３２    第２の中空軸
３４    ベアリング
４２    第２のブレーキドラム（制動手段）
４４    カラー（第２のボビン保持部）
５６    サブブロック
６０    支持軸
６４    外アーム（制動手段）
６８    内アーム（制動手段）
７２    延長軸（制動手段）
７４    軸
７８    パスローラ（ローラ）
８０    第１のバンドブレーキ（制動手段）
８２    引張りバネ（制動手段）
８４    ボルト（制動手段）
８６    軸
８８    パスローラ（ローラ）
９０    第２のバンドブレーキ（制動手段）
９２    引張りバネ（制動手段）
９４    ボルト（制動手段）
９８Ａ  ボビン
９８Ｂ  ボビン
９９    コード
【図１】
2004149255.tif 000003
【図２】
2004149255.tif 000004
【図３】
2004149255.tif 000005
【図４】
2004149255.tif 000006
【図５】
2004149255.tif 000007